(57)【要約】【課題】電源への影響を少なくして出力電流をオンオフする。【解決手段】出力トランジスタＱ２をオンオフすることで、出力端ＯＵＴの信号出力を制御する。出力トランジスタＱ２の制御端のオンオフするための電流を供給する定電流回路１２をスイッチＳＷ１をオンすることによって、スイッチＳＷ１側に流すことによってオフする。【選択図】図３
2008165464.tif 000002
【特許請求の範囲】
【請求項１】
出力端に接続され、出力端を介する電流を制御する出力トランジスタと、
この出力トランジスタの制御端に接続され、出力トランジスタのオンオフを制御する電流を流す制御電流経路と、
この制御電流経路へ定電流を供給する定電流回路と、
この定電流回路から電流を前記制御電流回路の代わりに流すスイッチと、
を有し、
前記スイッチをオンオフすることによって、制御電流経路に流れる電流をオフオンして、出力トランジスタに流れる電流をオンオフすることを特徴とする電流制御回路。
【請求項２】
請求項１に記載の電流制御回路において、
前記出力トランジスタの制御端に対し制御端が接続され、ダイオード接続されたカレントミラー入力側トランジスタを有し、
前記スイッチが、前記カレントミラー入力側トランジスタに流れる電流を代わりに流すことで、前記スイッチをオンオフすることによって、カレントミラー入力側トランジスタに流れる電流をオフオンして、前記出力トランジスタに流れる電流をオンオフすることを特徴とする電流制御回路。
【請求項３】
請求項２に記載の電流制御回路において、
定電流回路からの定電流をダイオード接続されたカレントミラー入力側トランジスタに流し、このカレントミラー入力側トランジスタにベースが共通接続されカレントミラー入力側トランジスタに流れる電流に応じた電流を流すカレントミラー出力側トランジスタを有する第２カレントミラー回路をさらに有し、
この第２カレントミラー回路のカレントミラー入力側トランジスタおよびカレントミラー出力側トランジスタの両方に流れる電流を合流して前記第１カレントミラー回路のカレントミラー入力側トランジスタに供給することを特徴とする電流制御回路。
【請求項４】
請求項３に記載の電流制御回路において、
前記スイッチは、オンした場合に定電流回路からの定電流を第２カレントミラー回路のカレントミラー入力側トランジスタに流れる電流をオフすることで、前記第１カレントミラー回路のカレントミラー入力側トランジスタに流れる電流をオフすることを特徴とする電流制御回路。
【発明の詳細な説明】
【技術分野】
【０００１】
本発明は、カレントミラー回路の電流を制御する電流制御回路に関する。
【背景技術】
【０００２】
従来より、パルス信号生成回路では、電流のオンオフによってパルス信号を生成している。例えば、テレビ受像機では、ビームの水平走査を制御するＨＯＵＴ信号の生成回路があり、１水平期間に１回のパルス信号を生成している。
【０００３】
このような信号生成回路は、例えば図１のような構成を有しており、他端がグランドに接続された電源Ｖ１の正極が信号発生器１０に接続され、ここで所定のパルス信号に変換される。そして、このパルス信号が抵抗Ｒ１を介し、ＮＰＮ型のカレントミラー入力側トランジスタＱ１に供給される。カレントミラー入力側トランジスタＱ１は、コレクタベース間が短絡され、コレクタが抵抗Ｒ１に接続され、エミッタがグランドに接続されている。このカレントミラー入力側トランジスタＱ１のベースには、ＮＰＮ型のカレントミラー出力側トランジスタＱ２のベースが共通接続されている。このカレントミラー出力側トランジスタＱ２は、エミッタがグランドに接続されており、コレクタは出力端ＯＵＴに接続されている。従って、信号発生器１０のパルス信号に応じた電流がトランジスタＱ１，Ｑ２に流れ、これが出力される。なお、出力端ＯＵＴは、抵抗ＲＬ１をを介し、電源Ｖ２に接続されており、電圧が電源電圧Ｖ２につり上げられている。
【０００４】
図２は、他の従来例を示しており、エミッタフォロアにより出力能力を上昇している。電源Ｖ１の正極は信号発生器１０に接続される。信号発生器１０は、抵抗Ｒ１、Ｒ２を介しグランドに接続されており、抵抗Ｒ１，Ｒ２の接続点がＮＰＮトランジスタＱ３のベースに接続されている。トランジスタＱ３は、コレクタが電源Ｖ１に接続され、エミッタが抵抗Ｒ３を介し、グランドに接続されている。
【０００５】
トランジスタＱ３のエミッタと抵抗Ｒ３の接続点には、ＮＰＮトランジスタＱ４のベースが接続されている。このトランジスタＱ４のエミッタはグランドに接続され、コレクタは出力端ＯＵＴに接続されている。また、出力端ＯＵＴは、図１と同様に、抵抗ＲＬ１をを介し、電源Ｖ２に接続されており、電圧が電源電圧Ｖ２につり上げられている。
【０００６】
従って、信号発生器１０の出力であるパルス信号に応じてトランジスタＱ３がオンオフされ、このトランジスタＱ３の出力によってトランジスタＱ４が駆動され、出力端ＯＵＴからの出力が制御される。
【０００７】
【特許文献１】特開平７−２９７６９４号公報
【特許文献２】特開２００６−２７１０８７号公報
【発明の開示】
【発明が解決しようとする課題】
【０００８】
図１，２に示す回路によって、信号発生器１０により発生したパルス信号に応じた出力を出力端に得ることができる。しかし、この回路では、信号発生器１０によって発生されたパルス信号によりトランジスタＱ１またはトランジスタＱ３がオンオフされ、電源Ｖ１からの電流がオンオフされる。このように、電源Ｖ１からの電流がオンオフされると、その電流変化によって電源Ｖ１の出力電圧に変化が生じやすく、特に電源Ｖ１からの電源ラインの電圧が変化しやすい。従って、電源Ｖ１からの電源電圧で動作する他の回路に悪影響を及ぼす場合があった。
【課題を解決するための手段】
【０００９】
本発明は、出力端に接続され、出力端を介する電流を制御する出力トランジスタと、この出力トランジスタの制御端に接続され、出力トランジスタのオンオフを制御する電流を流す制御電流経路と、この制御電流経路へ定電流を供給する定電流回路と、この定電流回路から電流を前記制御電流回路の代わりに流すスイッチと、を有し、前記スイッチをオンオフすることによって、制御電流経路に流れる電流をオフオンして、出力トランジスタに流れる電流をオンオフすることを特徴とする。
【００１０】
また、前記出力トランジスタの制御端に対し制御端が接続されたダイオード接続されたカレントミラー入力側トランジスタを有し、前記スイッチが、前記カレントミラー入力側トランジスタに流れる電流を代わりに流すことで、前記スイッチをオンオフすることによって、カレントミラー入力側トランジスタに流れる電流をオフオンして、前記出力トランジスタに流れる電流をオンオフすることが好適である。
【００１１】
また、定電流回路からの定電流をダイオード接続されたカレントミラー入力側トランジスタに流し、このカレントミラー入力側トランジスタにベースが共通接続されカレントミラー入力側トランジスタに流れる電流に応じた電流を流すカレントミラー出力側トランジスタを有する第２カレントミラー回路をさらに有し、この第２カレントミラー回路のカレントミラー入力側トランジスタおよびカレントミラー出力側トランジスタの両方に流れる電流を合流して前記第１カレントミラー回路のカレントミラー入力側トランジスタに供給することが好適である。
【００１２】
また、前記スイッチは、オンした場合に定電流回路からの定電流を第２カレントミラー回路のカレントミラー入力側トランジスタに流れる電流をオフすることで、前記第１カレントミラー回路のカレントミラー入力側トランジスタに流れる電流をオフすることが好適である。
【発明の効果】
【００１３】
本発明によれば、出力トランジスタをオフする際には、定電流源からの定電流がスイッチに流れる。従って、出力トランジスタのオンオフによる電源電圧の変化を抑制することができる。
【発明を実施するための最良の形態】
【００１４】
以下、本発明の実施形態について、図面に基づいて説明する。
【００１５】
図３は、実施形態の構成を示す図である。陰極がグランドに接続された電源Ｖ１の正極には、定電流源１２が接続されている。この定電流源の他端には、ベースコレクタ間が短絡されエミッタがグランドに接続されたたトランジスタＱ１が接続され、トランジスタＱ１のベースには、エミッタがグランドに接続されたトランジスタＱ２のベースが接続されている。従って、トランジスタＱ１，Ｑ２はカレントミラーを構成している。また、トランジスタＱ２のコレクタが出力端ＯＵＴに接続されており、この出力端は抵抗ＲＬ１を介し電源Ｖ２に接続されている。
【００１６】
そして、トランジスタＱ１のコレクタとグランドの間には、スイッチＳＷ１が配置されており、このスイッチＳＷ１が信号発生器１０からのパルス信号によってオンオフされる。
【００１７】
従って、信号発生器１０からのパルス信号がＬレベルでスイッチＳＷ１がオフの場合には、定電流源１２からの電流は、トランジスタＱ１に流れ、このトランジスタＱ１の電流に応じた電流がトランジスタＱ２に流れ、出力端ＯＵＴから電流が引き込まれ、出力端ＯＵＴの電圧がＬレベルになる。
【００１８】
一方、信号発生器１０からのパルス信号がＨレベルでスイッチＳＷ１がオンの場合には、定電流源１２からの電流は、スイッチＳＷ１に流れ、トランジスタＱ１には流れない。従って、このトランジスタＱ２にも電流は流れず、出力端ＯＵＴは、電源Ｖ２の電源電圧Ｖ２、すなわちＨレベルになる。
【００１９】
このように、本実施形態によれば、スイッチＳＷ１のオンオフによらず、定電流源１２は電流を流し続ける。従って、信号発生器１０から出力されるパルス信号に基づくスイッチＳＷ１のオンオフの電源Ｖ１への影響は十分小さく、電源Ｖ１から電源供給を受ける各種回路への悪影響を排除することができる。
【００２０】
図４は、他の実施形態の構成を示す図である。この回路において、定電流源の出力側には、コレクタベース間が短絡されたＮＰＮトランジスタＱ５のコレクタが接続されている。このトランジスタＱ５のベースには、コレクタが電源Ｖ１に接続されたＮＰＮトランジスタＱ６のベースが接続されている。そして、これらトランジスタＱ５，Ｑ６のエミッタはトランジスタＱ１のコレクタに接続されている。
【００２１】
この構成においては、定電流源１２からの定電流は、トランジスタＱ５に流れ、このトランジスタＱ５に流れる電流に対応した電流がトランジスタＱ６に流れ、これらを合わせた電流がトランジスタＱ１またはスイッチＳＷ１に流れる。従って、定電流源１２からの定電流の大きさに拘わらずトランジスタＱ１に流れる電流量を十分な大きさのものにして、これに応じた電流をトランジスタＱ２に流すことができ、出力端王とのドライブ能力を大きくすることができる。なお、カレントミラーの電流比はカレントミラーを構成する一対のトランジスタにおけるエミッタ面積を設定することによって調整することができる。
【００２２】
図５は、さらに他の実施形態であって、この回路においては、スイッチＳＷ１をトランジスタＱ５のコレクタと定電流源１２の接続点と、グランドの間に配置している。
【００２３】
この構成によって、スイッチＳＷ１をオンした場合には、定電流源１２からの定電流がスイッチＳＷ１を介しグランドに流れ、スイッチＳＷ１をオフした場合には、トランジスタＱ５，Ｑ６の両方に流れる電流がトランジスタＱ１に流れる。従って、スイッチＳＷ１オンオフによる電源Ｖ１への影響をより小さくすることができる。
【００２４】
図６は、図３におけるトランジスタＱ１，Ｑ２をＭＯＳ型トランジスタに代えたものであり、図７は図４のトランジスタＱ１，Ｑ２，Ｑ５，Ｑ６をＭＯＳ型トランジスタに代えたものであり、図８は図５のトランジスタＱ１，Ｑ２，Ｑ５，Ｑ６をＭＯＳ型トランジスタに代えたものである。これら図６〜８の回路においても、上述の図３〜５の回路と同様の作用効果が得られる。
【００２５】
図９には、図３〜図８のトランジスタＱ１，Ｑ２の部分の回路に代えて用いる回路例を示してある。左から２番目が図３，図６に用いられている通常のカレントミラー回路である。
【００２６】
１番目は、定電流回路からの定電流を抵抗を介しグランドに流し、その抵抗の上側電圧によってトランジスタＱ１をオンする。３番目は、トランジスタＱ１のエミッタとグランド間に抵抗を配置している。４番目は、トランジスタＱ１のエミッタとグランドの間と、トランジスタＱ２のエミッタとグランド間の両方に抵抗を配置している。５番目はトランジスタＱ１のエミッタとグランドの間と、トランジスタＱ１，Ｑ２のベース間に抵抗を配置している。ここで、ベース間の抵抗は、バイポーラトランジスタの場合には、トランジスタＱ１のベースコレクタ間短絡点とトランジスタＱ１のベースの間、ＭＯＳトランジスタの場合にはトランジスタＱ１のベースコレクタ間短絡点とトランジスタＱ２のベースの間に配置する。さらに、バイポーラトランジスタの場合には、抵抗をトランジスタＱ１のベースコレクタ間短絡点とトランジスタＱ１のベースの間だけでなく、短絡点とトランジスタＱ２のベースの間にも配置することも好適である。いずれの構成においても、スイッチＳＷ１をオンオフすることで、スイッチＳＷ１がオンのときに定電流源からの電流をスイッチＳＷ１に流すことができ、スイッチＳＷ１のオンオフによって、出力信号を得ることができる。
【００２７】
このような本実施形態の回路によれば、パルス信号による電源Ｖ１への影響を小さくして、適切な出力信号を得ることができる。なお、本回路は、テレビ受像機の水平変更制御に用いるＨｏｕｔ信号や、通信インタフェースにおけるＡＣＫ信号の出力などに好適である。
【００２８】
なお、スイッチＳＷ１は、バイポーラトランジスタ、ＭＯＳトランジスタなどで構成することができ、グランド側に配置されているためＮＰＮ、ｎチャネルトランジスタが好適である。また、定電流源１２についても、通常のトランジスタを用いた定電流回路を採用すればよい。本実施形態の場合、電源側から電流を流す回路であり、ＰＮＰ、ｐチャネルのトランジスタを用いて構成することが好適である。
【００２９】
また、スイッチＳＷ１のグランドと、トランジスタＱ１，Ｑ２のグランドを切り離すことが好適である。これによって、スイチングによるトランジスタＱ１，Ｑ２のグランドに対する影響を排除できる。
【図面の簡単な説明】
【００３０】
【図１】従来の電流制御回路の構成例を示す図である。
【図２】従来の電流制御回路の他の構成例を示す図である。
【図３】実施形態に係る電流制御回路の構成例を示す図である。
【図４】実施形態に係る電流制御回路の他の構成例を示す図である。
【図５】実施形態に係る電流制御回路のさらに他の構成例を示す図である。
【図６】実施形態に係る電流制御回路のさらに他の構成例を示す図である。
【図７】実施形態に係る電流制御回路のさらに他の構成例を示す図である。
【図８】実施形態に係る電流制御回路のさらに他の構成例を示す図である。
【図９】実施形態に係る電流制御回路の出力トランジスタの部分の構成例を示す図である。
【符号の説明】
【００３１】
１０  信号発生器、１２  定電流源、ＯＵＴ  出力端、Ｑ１〜Ｑ６  トランジスタ、Ｒ１，Ｒ２，Ｒ３，ＲＬ１  抵抗、ＳＷ１  スイッチ、Ｖ１，Ｖ２  電源。
【図１】
2008165464.tif 000003
【図２】
2008165464.tif 000004
【図３】
2008165464.tif 000005
【図４】
2008165464.tif 000006
【図５】
2008165464.tif 000007
【図６】
2008165464.tif 000008
【図７】
2008165464.tif 000009
【図８】
2008165464.tif 000010
【図９】
2008165464.tif 000011